(57)【特許請求の範囲】
【請求項１】
音信号を再生するスピーカ装置であって、
第１振動板および前記第１振動板を駆動させる第１磁気回路を有し、所定の周波数帯域を含む音信号を再生する第１スピーカユニットと、
第２振動板および前記第２振動板を駆動させる第２磁気回路を有し、前記所定の周波数帯域と略同一の周波数帯域を含む音信号を再生する第２スピーカユニットと、
音の放射方向が互いに対向するように、前記第１スピーカユニットおよび前記第２スピーカユニットが取り付けられた１つ以上のキャビネットとを備え、
前記第１スピーカユニットと前記第２スピーカユニットとに挟まれる空間の少なくとも一部は、前記キャビネットの外部に通じており、
前記スピーカ装置の音信号再生時には、前記第１振動板と前記第２振動板とは互いに反対方向に振動し、
前記キャビネットは２つのキャビネットで構成され、
前記２つのキャビネットは機械的に接合され、
前記２つのキャビネットを音響的に接合する、前記第１スピーカユニットの中心軸及び前記第２スピーカユニットの中心軸に対して対称に配置される２つの連通管を、少なくとも１組有する、
スピーカ装置。
【請求項２】
前記第２振動板は、前記スピーカ装置の音信号再生時において、
前記第１振動板が前記第１磁気回路に近づく方向に動作するとき、前記第２磁気回路から遠ざかる方向に動作し、
前記第１振動板が前記第１磁気回路から遠ざかる方向に動作するとき、前記第２磁気回路に近づく方向に動作する、
請求項１に記載のスピーカ装置。
【請求項３】
前記第１スピーカユニットは、前記第１振動板を振動可能に支持する第１エッジを有し、
前記第２スピーカユニットは、前記第２振動板を振動可能に支持する第２エッジを有し、
前記第１エッジの断面形状は、前記空間から前記第１スピーカユニットに凸であり、
前記第２エッジの断面形状は前記第２スピーカユニットから前記空間に凸である、
請求項１または２に記載のスピーカ装置。
【請求項４】
さらに、
前記空間内には、前記第１振動板および前記第２振動板の少なくとも一方に対向する位置には、前記スピーカ装置の再生音を拡散させる拡散板を備える、
請求項１〜３のいずれか１項に記載のスピーカ装置。
【請求項５】
前記第１スピーカユニットおよび前記第２スピーカユニットのいずれか一方の正極および負極にはそれぞれ、音信号電圧の負極および正極が接続され、他方の正極および負極にはそれぞれ、前記音信号電圧の正極および負極が接続されることにより、前記第１振動板と前記第２振動板とは、前記スピーカ装置の音信号再生時に互いに反対方向に振動する、
請求項１〜４のいずれか１項に記載のスピーカ装置。
【請求項６】
前記第１スピーカユニットは、前記第１振動板に振動を伝えるための少なくとも１つの第１ボイスコイルボビンと、前記第１ボイスコイルボビンの高さ方向の略中央部の外周上に巻き線されている第１ボイスコイルを有し、
前記第２スピーカユニットは、前記第２振動板に振動を伝えるための少なくとも１つの第２ボイスコイルボビンと、前記第２ボイスコイルボビンの高さ方向の略中央部の外周上に巻き線されている第２ボイスコイルを有し、
前記第１ボイスコイルと前記第２ボイスコイルとの巻回方向は、反対である、
請求項１〜４のいずれか１項に記載のスピーカ装置。
【請求項７】
前記第１磁気回路は、第１マグネットを有し、
前記第２磁気回路は、第２マグネットを有し、
前記第１マグネットと前記第２マグネットとの着磁方向は反対である、
請求項１〜４のいずれか１項に記載のスピーカ装置。
【請求項８】
請求項１〜７のいずれか１項に記載のスピーカ装置を搭載した車両。
【請求項９】
請求項１〜７のいずれか１項に記載のスピーカ装置を搭載したＡＶ機器。
【発明の詳細な説明】
【技術分野】
【０００１】
本発明は、スピーカ装置およびそれを備えた車両およびＡＶ機器に関する。
【背景技術】
【０００２】
スピーカ装置は、車両やＡＶ機器、移動体、モバイル機器、建物等に搭載される。近年では、スピーカ装置の小型化および省スペース化などが要求されており、小型でも高出力で広帯域の再生ができ、かつ、低歪な再生音で再生することが要求されている。
【０００３】
スピーカ装置を小型化する場合、サイズ上の制約により、エッジやダンパーといった、振動系を支持する部材のサイズが十分確保できず、振動板の支持力が振動板の変位ゼロの位置に対し非対称となってしまうことが多い。ここで、変位ゼロの位置とは、スピーカ装置に入力される駆動信号がないときの振動板の位置である。また、厚み上の制約により、振動板の駆動力も振動板の変位ゼロの位置に対し非対称となることもある。これらの振動板支持力および駆動力の非対称性は再生音の歪の要因となるため、スピーカ装置を小型化かつ高出力化する際の阻害要因となる。
【０００４】
それに対して、スピーカの振動板の支持力の非対称性および駆動力の非対称性に起因する再生音の歪みを低減し、同時にキャビネットの振動を低減するスピーカ装置が提案されている（例えば、特許文献１参照）。
【０００５】
図１０は、従来(特許文献１)のスピーカ装置の構成を示す図である。図１０に示すスピーカ装置８０は、第１のスピーカユニット８３と第２のスピーカユニット８４はそれぞれ第１の開口部８５ａと第２の開口部８５ｂに固着され、第１のスピーカフレーム８７と第２のスピーカフレーム８８を連結する連結部材８６とを具備する。この結果、第１のスピーカユニット８３と第２のスピーカユニット８４がそれぞれ有する振動板の振動によって生じる振動は、互いに打ち消しあい、スピーカユニット８３、８４およびキャビネット８２の振動を防止することができる。また、それぞれのスピーカの振動板の駆動力の和は、無入力時の振動板の静止位置を中心に対称となり、スピーカの２次歪を大幅に低減できる。
【先行技術文献】
【特許文献】
【０００６】
【特許文献１】特開平１１−１７８０８５号公報
【発明の概要】
【発明が解決しようとする課題】
【０００７】
しかしながら、図１０に示すような従来のスピーカ装置の構成では、第１の開口部８５ａと第２の開口部８５ｂとの距離が離れている。そのため、第１のスピーカユニット８３と第２のスピーカユニット８４で再生される音の経路差が大きく、位相干渉を起こしてしまい、再生音質が低下してしまうという課題がある。
【０００８】
本発明は、このような従来の問題点に鑑みてなされたものあって、複数のスピーカユニットを備えつつ、再生音質の低下を抑制できるスピーカ装置等を提供することを目的とする。
【課題を解決するための手段】
【０００９】
前記目的を達成するために、本発明の一形態に係るスピーカ装置は、音信号を再生するスピーカ装置であって、第１振動板および前記第１振動板を駆動させる第１磁気回路を有し、所定の周波数帯域を含む音信号を再生する第１スピーカユニットと、第２振動板および前記第２振動板を駆動させる第２磁気回路を有し、前記所定の周波数帯域と略同一の周波数帯域を含む音信号を再生する第２スピーカユニットと、音の放射方向が互いに対向するように、前記第１スピーカユニットおよび前記第２スピーカユニットが取り付けられた１つ以上のキャビネットとを備え、前記第１スピーカユニットと前記第２スピーカユニットとに挟まれる空間の少なくとも一部は、前記キャビネットの外部に通じており、前記スピーカ装置の音信号再生時には、前記第１振動板と前記第２振動板とは互いに反対方向に振動する。
【発明の効果】
【００１０】
本発明によれば、複数のスピーカユニットを備えつつも、再生音質の低下を抑制できるスピーカ装置等を実現できる。
【図面の簡単な説明】
【００１１】
【図１】図１は、実施の形態１におけるスピーカ装置の外観の一例を示す図である。
【図２】図２は、図１のＸ１−Ｘ２断面図である。
【図３Ａ】図３Ａは、実施の形態１におけるスピーカ装置の断面構造図の一例である。
【図３Ｂ】図３Ｂは、図３Ａに示す第１スピーカユニットの詳細断面構造図である。
【図４】図４は、変形例１におけるスピーカ装置の構造断面図の一例である。
【図５】図５は、変形例２におけるスピーカ装置の構造断面図の一例である。
【図６】図６は、変形例３におけるスピーカ装置の構造断面図の一例である。
【図７】図７は、変形例４におけるスピーカ装置の構造断面図の一例である。
【図８Ａ】図８Ａは、実施の形態２におけるスピーカ装置の構造断面図の一例である。
【図８Ｂ】図８Ｂは、図８Ａに示すスピーカ装置の上面概略図である。
【図９Ａ】図９Ａは、実施の形態２の変形例におけるスピーカ装置の構造断面図の一例である。
【図９Ｂ】図９Ｂは、図９Ａに示すスピーカ装置の上面概略図である。
【図１０】図１０は、従来のスピーカ装置の構成を示す図である。
【発明を実施するための形態】
【００１２】
本発明の一態様に係るスピーカ装置は、音信号を再生するスピーカ装置であって、第１振動板および前記第１振動板を駆動させる第１磁気回路を有し、所定の周波数帯域を含む音信号を再生する第１スピーカユニットと、第２振動板および前記第２振動板を駆動させる第２磁気回路を有し、前記所定の周波数帯域と略同一の周波数帯域を含む音信号を再生する第２スピーカユニットと、音の放射方向が互いに対向するように、前記第１スピーカユニットおよび前記第２スピーカユニットが取り付けられた１つ以上のキャビネットとを備え、前記第１スピーカユニットと前記第２スピーカユニットとに挟まれる空間の少なくとも一部は、前記キャビネットの外部に通じており、前記スピーカ装置の音信号再生時には、前記第１振動板と前記第２振動板とは互いに反対方向に振動する。
【００１３】
この構成により、複数のスピーカユニットを備えつつも、再生音質の低下を抑制できる。
【００１４】
より具体的には、第１スピーカユニットと第２スピーカユニットとで再生される音の経路差を小さくし、位相干渉を防止できるので、再生音質の低下を抑制できる。
【００１５】
また、第１スピーカユニットと第２スピーカユニットとでそれぞれ生じていた、エッジによる空気排除量の非対称性および振動板の駆動力によって生じていた再生音の歪み、およびそれぞれのスピーカユニットの振動によって生じていたキャビネットの振動をすべて同時に低減することが可能である。
【００１６】
ここで、例えば、前記第２振動板は、前記スピーカ装置の音信号再生時において、前記第１振動板が前記第１磁気回路に近づく方向に動作するとき、前記第２磁気回路から遠ざかる方向に動作し、前記第１振動板が前記第１磁気回路から遠ざかる方向に動作するとき、前記第２磁気回路に近づく方向に動作する。
【００１７】
また、例えば、前記第１スピーカユニットは、前記第１振動板を振動可能に支持する第１エッジを有し、前記第２スピーカユニットは、前記第２振動板を振動可能に支持する第２エッジを有し、前記第１エッジの断面形状は、前記空間から前記第１スピーカユニットに凸であり、前記第２エッジの断面形状は前記第２スピーカユニットから前記空間に凸であるとしてもよい。
【００１８】
また、例えば、前記空間内には、前記第１振動板および前記第２振動板の少なくとも一方に対向する位置には、前記スピーカ装置の再生音を拡散させる拡散板を備えるとしてもよい。
【００１９】
また、例えば、前記キャビネットは複数のキャビネットで構成され、複数のキャビネットは機械的に接合されているとしてもよい。
【００２０】
また、例えば、前記複数のキャビネットを音響的に接合する連通管を有するとしてもよい。
【００２１】
また、例えば、前記第１スピーカユニットおよび前記第２スピーカユニットのいずれか一方の正極および負極にはそれぞれ、音信号電圧の負極および正極が接続され、他方の正極および負極にはそれぞれ、前記音信号電圧の正極および負極が接続されることにより、前記第１振動板と前記第２振動板とは、前記スピーカ装置の音信号再生時に互いに反対方向に振動するとしてもよい。
【００２２】
また、例えば、前記第１スピーカユニットは、前記第１振動板に振動を伝えるための少なくとも１つの第１ボイスコイルボビンと、前記第１ボイスコイルボビンの高さ方向の略中央部の外周上に巻き線されている第１ボイスコイルを有し、前記第２スピーカユニットは、前記第２振動板に振動を伝えるための少なくとも１つの第２ボイスコイルボビンと、前記第２ボイスコイルボビンの高さ方向の略中央部の外周上に巻き線されている第２ボイスコイルを有し、前記第１ボイスコイルと前記第２ボイスコイルとの巻回方向は、反対であるとしてもよい。
【００２３】
また、例えば、前記第１磁気回路は、第１マグネットを有し、前記第２磁気回路は、第２マグネットを有し、前記第１マグネットと前記第２マグネットとの着磁方向は反対であるとしてもよい。
【００２４】
なお、以下で説明する実施の形態は、いずれも本発明の一具体例を示すものである。以下の実施の形態で示される数値、形状、構成要素、ステップの順序などは、一例であり、本発明を限定する主旨ではない。また、以下の実施の形態における構成要素のうち、最上位概念を示す独立請求項に記載されていない構成要素については、任意の構成要素として説明される。また全ての実施の形態において、各々の内容を組み合わせることもできる。
【００２５】
以下、本発明の一態様に係るスピーカ装置について、図面を参照しながら説明する。
【００２６】
（実施の形態１）
[スピーカ装置１の構成]
図１は、本実施の形態におけるスピーカ装置１の外観の一例を示す図である。図２は、図１のＸ１−Ｘ２断面図である。図３Ａは、本実施の形態におけるスピーカ装置１の断面構造図の一例である。図３Ｂは、図３Ａに示す第１スピーカユニット３の詳細断面構造図である。
【００２７】
図１、図２および図３Ａに示すように、実施の形態１におけるスピーカ装置１は、第１キャビネット２ａおよび第２キャビネット２ｂからなるキャビネット２と、第１スピーカユニット３と、第２スピーカユニット４と、接合部材５を備え、音信号を再生する。
【００２８】
（キャビネット２）
キャビネット２は、１以上のキャビネットで構成され、音の放射方向が互いに対向するように、第１スピーカユニット３および第２スピーカユニット４が取り付けられる。
【００２９】
本実施の形態では、キャビネット２は、第１キャビネット２ａおよび第２キャビネット２ｂの複数のキャビネットで構成される。また、第１キャビネット２ａには第１スピーカユニット、第２キャビネット２ｂには第２スピーカユニット４が取り付けられている。そして、第１キャビネット２ａおよび第２キャビネット２ｂの間の空間５１（第１スピーカユニット３と第２スピーカユニット４とに挟まれる空間５１）の少なくとも一部は、キャビネット２の外部と通じている。
【００３０】
なお、第１キャビネット２ａと第２キャビネット２ｂは同容積であるとよい。
【００３１】
（接合部材５）
接合部材５は、複数のキャビネットを機械的に接合する。本実施の形態では、接合部材５は、第１キャビネット２ａおよび第２キャビネット２ｂを機械的に接合する。
【００３２】
また、接合部材５は、第１キャビネット２ａおよび第２キャビネット２ｂの外周の一部を接合する。そのため、第１キャビネット２ａおよび第２キャビネット２ｂの間の空間であって接合部材５のない部分の空間５１は、キャビネット２の外部と通じている。
【００３３】
（第１スピーカユニット３）
第１スピーカユニット３は、上述したように、キャビネット２内の上側すなわち第１キャビネット２ａ側に取り付けられる。本実施の形態では、第１スピーカユニット３は、例えば図３Ｂに示すように、第１振動板３１と、第１エッジ３２と、第１磁気回路３３と、第１ボイスコイルボビン３４と、第１ボイスコイル３５とを備え、所定の周波数帯域を含む信号を再生する。
【００３４】
第１振動板３１は、第１磁気回路３３よりキャビネット２内において上側に配置され、第１エッジ３２により、振動可能に支持される。また、第１振動板３１は、下側で第１ボイスコイルボビン３４が固着されている。
【００３５】
第１エッジ３２は、第１振動板３１を振動可能に支持する。また、第１エッジ３２は、キャビネット２内において上側に凸になるように配置されている。すなわち、上側に配置されている第１エッジ３２は、上側に凸である。言い換えると、第１エッジ３２は、キャビネット２内の空間５１に対して空間５１の外部に露出する方向に凸である。つまり、第１エッジ３２の断面形状は、空間５１から第１スピーカユニット３に凸である。
【００３６】
第１磁気回路３３は、第１マグネット３３ａ等を有し、第１振動板３１を駆動させる。より具体的には、第１磁気回路３３は、第１ボイスコイル３５を駆動させるための駆動力を発生する回路である。ここで、外磁型磁気回路とはボイスコイルよりも外側にマグネット（磁石）が配置される磁気回路であり、内磁型磁気回路とはボイスコイルよりも内側にマグネット（磁石）が配置される磁気回路である。本実施の形態では、図３Ｂに示すように、第１磁気回路３３は、第１マグネット３３ａが第１ボイスコイル３５よりも内側に配置されており、内磁型磁気回路である。
【００３７】
第１ボイスコイルボビン３４は、少なくとも１つあり、第１振動板３１に振動を伝える。より具体的には、第１ボイスコイルボビン３４は、第１振動板３１を支持し、かつ、第１振動板３１に振動を伝える。
【００３８】
第１ボイスコイル３５は、第１ボイスコイルボビン３４の高さ方向の略中央部の外周上に巻き線され、音声電流を振動に変える機能を有する。
【００３９】
（第２スピーカユニット４）
第２スピーカユニット４は、上述したように、キャビネット２内の下側すなわち第２キャビネット２ｂ側に取り付けられる。本実施の形態では、第２スピーカユニット４は、第１スピーカユニット３と同様に、第２振動板４１と、第２エッジ４２と、第２磁気回路４３と、第２ボイスコイルボビン４４と、第２ボイスコイル４５とを備え、第１スピーカユニットが再生する所定の周波数帯域と略同一の周波数帯域を含む信号を再生する。
【００４０】
第２振動板４１は、第２磁気回路４３よりキャビネット２内において上側に配置され、第２エッジ４２により、振動可能に支持される。また、第２振動板４１は、下側で第２ボイスコイルボビン４４が固着されている。
【００４１】
本実施の形態では、第２振動板４１は第１振動板３１と逆方向に駆動される。すなわち、スピーカ装置１の音信号再生時には、第２振動板４１と第１振動板３１とは、互いに反対方向に振動する。言い換えれば、スピーカ装置１の音信号再生時に、第１振動板３１が第１磁気回路３３に近づく方向に動作するとき、第２振動板４１は第２磁気回路４３から遠ざかる方向に動作し、第１振動板３１が第１磁気回路３３から遠ざかる方向に動作するとき、第２振動板４１は第２磁気回路４３に近づく方向に動作する。例えば、第１スピーカユニット３および第２スピーカユニット４のいずれか一方の正極および負極にはそれぞれ、音信号電圧の負極および正極が接続され、他方の正極および負極にはそれぞれ、当該音信号電圧の正極および負極が接続される。これにより、第１振動板３１と第２振動板４１とを、スピーカ装置１の音信号再生時に互いに反対方向に振動させることができる。
【００４２】
第２エッジ４２は、第２振動板４１を振動可能に支持する。また、第２エッジ４２は、キャビネット２内において上側に凸になるように配置されている。すなわち、下側に配置されている第２エッジ４２は、上側に凸である。言い換えると、第２エッジ４２は、キャビネット２内の空間５１に対して空間５１の外部に入り込む方向に凸である。つまり、第１エッジ３２の断面形状は、第２スピーカユニット４から空間５１に凸である。
【００４３】
第２磁気回路４３は、第２マグネット４３ａ等を有し、第２振動板４１を駆動させる。より具体的には、第２磁気回路４３は、第２ボイスコイル４５を駆動させるための駆動力を発生する回路である。本実施の形態では、第２マグネット４３ａの着磁方向と第１マグネット３３ａの着磁方向とは反対である。また、第２磁気回路４３は、第２マグネット４３ａが第２ボイスコイル４５よりも内側に配置されており、第１磁気回路３３と同様に、内磁型磁気回路である。
【００４４】
第２ボイスコイルボビン４４は、少なくとも１つあり、第２振動板４１に振動を伝える。より具体的には、第２ボイスコイルボビン４４は、第２振動板４１を支持し、かつ、第２振動板４１に振動を伝える。
【００４５】
第２ボイスコイル４５は、第２ボイスコイルボビン４４の高さ方向の略中央部の外周上に巻き線され、音声電流を振動に変える機能を有する。本実施の形態では、第２ボイスコイル４５の巻回方向と第１ボイスコイル３５の巻回方向とは、反対である。
【００４６】
[効果等]
以上、本実施の形態によれば、複数のスピーカユニットを備えつつも、再生音質の低下を抑制できるスピーカ装置１を実現することができる。
【００４７】
例えば、本実施の形態のスピーカ装置１によれば、第１スピーカユニット３と第２スピーカユニット４とを対向して配置することにより、音の出口をまとめられるため、点音源に近い音響放射（再生）ができる。その結果、ステレオ再生や多チャンネル再生時に音像定位がよいスピーカ装置１を実現できる。
【００４８】
より具体的には、スピーカ装置１に再生させる音信号を印加する場合、第１スピーカユニット３と第２スピーカユニット４からそれぞれ音信号が再生される。このとき、スピーカ装置１では、第１振動板３１が上側（図３Ａで上側）に変位するときは第２振動板４１は下側（図３Ａで下側）に駆動される。同様に、第１振動板３１が下側に変位するときは第２振動板４１は上側に変位するように駆動される。そして、空間５１でこれらの音が経路差なくキャビネット２の外側の空間に出力され、当該外側の空間でこれらの音が足しあわされて再生される。つまり、本実施の形態のスピーカ装置１によれば、第１スピーカユニット３と第２スピーカユニット４とで再生される音の経路差を小さくし、位相干渉を防止できるので、再生音質の低下を抑制できる。
【００４９】
また、例えば、本実施の形態のスピーカ装置１によれば、第１スピーカユニット３と第２スピーカユニット４とでそれぞれ生じていた、エッジによる空気排除量の非対称性および振動板の駆動力によって生じていた再生音の歪み、およびそれぞれのスピーカユニットの振動によって生じていたキャビネット２の振動をすべて同時に低減することが可能である。
【００５０】
より具体的には、本実施の形態のスピーカ装置１によれば、スピーカ装置１の音信号再生時に、第１振動板３１と第２振動板４１とは逆方向に駆動されるので、第１振動板３１と第２振動板４１それぞれの振動によって生じるキャビネット２の振動が打ち消される。これにより、スピーカ装置１の音信号再生時に発生するキャビネット２の振動を大幅に低減することができる。
【００５１】
また、例えば、本実施の形態のスピーカ装置１によれば、スピーカ装置１の音信号再生時に、第１振動板３１が第１磁気回路３３に近づくとき、第２振動板４１は第２磁気回路４３から遠ざかるように駆動される。また、第１振動板３１が第１磁気回路３３から遠ざかるときは、第２振動板４１は第２磁気回路４３に近づくように駆動される。この結果、第１スピーカユニット３と第２スピーカユニット４のそれぞれの振動板駆動力の和が、スピーカ装置１に音信号が印加されていない場合を中立点として対称となり、第１スピーカユニット３と第２スピーカユニット４とのそれぞれで発生する駆動力の非対称性を相殺することができる。これにより、駆動力の非対称性によって生じる再生音の歪みを著しく低減することができる。
【００５２】
また、例えば、本実施の形態のスピーカ装置１によれば、第１振動板３１と第２振動板４１とが逆方向に駆動されるので、第１エッジ３２と第２エッジ４２とで排除される空気量の和は、音信号が入力されず第１振動板３１と第２振動板４１それぞれの変位がゼロのときを境として、対称とすることができる。これにより、第１エッジ３２と第２エッジ４２のそれぞれの空気排除量の非対称性によって生じる再生音の歪みを著しく低減することができる。
【００５３】
なお、第１スピーカユニット３と第２スピーカユニット４は、図３Ａに示すような内磁型磁気回路を有するとして説明したが、これに限らず外磁型磁気回路を有するとしてもよい。
【００５４】
（変形例１）
図４は、変形例１におけるスピーカ装置１Ａの構造断面図の一例である。図３Ａと同じ構成要素については同じ符号を用い、説明を省略する。
【００５５】
図４に示すスピーカ装置１Ａは、図３Ａに示すスピーカ装置１に対して、第１スピーカユニット３の第１磁気回路３３Ａ、第２スピーカユニット４の第２磁気回路４３Ａの構成が異なり、反射板６が追加されている。以下、実施の形態１と異なるところを中心に説明する。
【００５６】
第１磁気回路３３Ａは、図３Ａに示す第１磁気回路３３が内磁型磁気回路であるのに対して、第１マグネット３３１が第１ボイスコイル３５よりも外側に配置されており、外磁型磁気回路である。同様に、第２磁気回路４３Ａは、図３Ａに示す第２磁気回路４３が内磁型磁気回路であるのに対して、第２マグネット４３１が第２ボイスコイル４５よりも外側に配置されており、外磁型磁気回路である。その他の構成は、実施の形態１と同様であり説明を省略する。
【００５７】
反射板６は、第１振動板３１および第２振動板４１の少なくとも一方に対向する位置に配置され、スピーカ装置１Ａの再生音を拡散させる。本実施の形態では、反射板６は、反射板６ａおよび反射板６ｂで構成されている。反射板６ａは、第１スピーカユニット３で再生した音を水平方向に反射させる。反射板６ｂは、第２スピーカユニット４で再生した再生音を水平方向に反射させる。
【００５８】
スピーカ装置１Ａは、反射板６ａおよび反射板６ｂを備えることにより、水平方向に効率よく音を出力させるができる。また、キャビネット２は、図１に示すように円筒状であるので、スピーカ装置１Ａは、水平方向の指向性のない、無指向音源を形成することが可能である。
【００５９】
また、スピーカ装置１Ａは、反射板６ａおよび反射板６ｂを備えることにより、空間５１の容積を、反射板６ａと第１スピーカユニット３とで囲まれる空間５１ａおよび反射板６ｂと第２スピーカユニット４とで囲まれる空間５１ｂの容積に減らすことができる。これにより、空間５１ａと空間５１ｂとそれぞれの共振周波数に寄与するコンデンサ成分を減らせることができるので、高域の再生品質をより向上させることができる。
【００６０】
なお、図４に示す例では反射板６ａおよび反射板６ｂの両方を備える構成が示されているが、片方のみでも構わない。また、反射板６ａおよび反射板６ｂはスピーカ装置１Ａの再生効率を向上する音響ホーンであってもよい。
【００６１】
（変形例２）
図５は、変形例２におけるスピーカ装置１Ｂの構造断面図の一例である。図３Ａおよび図４と同じ構成要素については同じ符号を用い、説明を省略する。
【００６２】
図５に示すスピーカ装置１Ｂは、図４に示すスピーカ装置１Ａに対して、反射板７がさらに追加されている点で構成が異なる。以下、変形例１と異なるところを中心に説明する。
【００６３】
反射板７は、反射板６ａと第１スピーカユニット３とで囲まれる空間５１ａの容積をさらに減じる機能を有する。また、反射板７は、第１スピーカユニット３で再生した音を垂直方向に反射させる。
【００６４】
これにより、空間５１ａと空間５１ｂとそれぞれの共振周波数に寄与するコンデンサ成分を減らせることができるので、高域の再生品質をより向上させることができる。
【００６５】
（変形例３）
図６は、変形例３におけるスピーカ装置１Ｃの構造断面図の一例である。図３Ａおよび図４と同じ構成要素については同じ符号を用い、説明を省略する。
【００６６】
図６に示すスピーカ装置１Ｃは、図４に示すスピーカ装置１Ａに対して、第１スピーカユニット３の取り付け方法すなわち第１スピーカユニット３の配置が異なる。以下、変形例２と異なるところを中心に説明する。
【００６７】
すなわち、図６に示すように第１スピーカユニット３を、図４に示す場合と比較して、上下方向を反対に取り付ける、すなわち、第１振動板３１と反射板６ａと対向させるように第１スピーカユニット３を配置するとしてもよい。
【００６８】
この構成により、第１振動板３１と第２振動板４１との駆動力の非対称性は改善されないものの、第１エッジ３２と第２エッジ４２とで排除される空気量の和の対称性による再生歪みの低減と第１キャビネット２ａの振動の低減の効果を得ることができる。
【００６９】
また、この構成により、第１磁気回路３３Ａと第２磁気回路４３Ａがキャビネット２の外部に露出しないため、第１磁気回路３３Ａと第２磁気回路４３Ａへの異物の侵入を防止することができる。
【００７０】
（変形例４）
図７は、変形例４におけるスピーカ装置１Ｄの構造断面図の一例である。図３Ａ、図４および図６と同じ構成要素については同じ符号を用い、説明を省略する。
【００７１】
図７に示すスピーカ装置１Ｄは、図６に示すスピーカ装置１Ｃに対して、第１スピーカユニット３と第２スピーカユニット４の構成が異なる。以下、変形例３と異なるところを中心に説明する。
【００７２】
図７に示す第１スピーカユニット３は、図６に示す第１スピーカユニット３に対して、第１振動板３１Ｄと、第１エッジ３２Ｄと、第１磁気回路３３と、第１ボイスコイルボビン３４Ｄの構成が異なる。すなわち、図７に示す第１磁気回路３３は内磁型磁気回路であり、第１振動板３１Ｄ、第１エッジ３２Ｄおよび第１ボイスコイルボビン３４Ｄの位置が第１磁気回路３３に対して反対に構成されている。
【００７３】
また、図７に示す第２スピーカユニット４は、図６に示す第２スピーカユニット４に対して、第２磁気回路４３の構成が内磁型磁気回路となっている点で異なる。
【００７４】
この構成により、反射板６ａと第１スピーカユニット３とで囲まれる空間の容積（反射板６aの前面容積）を小さくすることができ、スピーカ装置１Ｄは、水平方向により均等に音を放射することが可能となる。
【００７５】
（実施の形態２）
図８Ａは、実施の形態２におけるスピーカ装置１Ｅの構造断面図の一例である。図８Ｂは、図８Ａに示すスピーカ装置１Ｅの上面概略図である。図８Ａは、図８Ｂに示すＡ−Ｏ−Ｂでの断面図に該当する。なお、図７と同じ構成要素については同じ符号を用い、説明を省略する。
【００７６】
図８Ａおよび図８Ｂに示すスピーカ装置１Ｅは、図７に示すスピーカ装置１Ｄに対して、第１キャビネット部分２１ａと、第２キャビネット部分２１ｂと、キャビネットボックス２ｅと、スピーカユニット８と、連通管９とが追加されている点で構成が異なる。以下、変形例４等と異なるところを中心に説明する。
【００７７】
キャビネットボックス２ｅは、スピーカ装置１Ｅの上部に設けられており、スピーカユニット８が取り付けられている。キャビネットボックス２ｅの径は、キャビネット２の径すなわち第１キャビネット２ａおよび第２キャビネット２ｂの径と同一である。
【００７８】
スピーカユニット８は、例えばツィータなど高音部を受け持つスピーカユニットであり、その振動板がキャビネットボックス２ｅの外部と通じるように取り付けらている。
【００７９】
連通管９は、複数のキャビネットを音響的に接合する中空の柱状体である。本実施の形態では、連通管９は、第１キャビネット２ａの一部が開口された第１キャビネット部分２１ａと、第２キャビネット２ｂの一部が開口された第２キャビネット部分２１ｂと、第３キャビネット部分２２とで構成される。連通管９は、第１キャビネット２ａと第２キャビネット２ｂとを音響的に接続する。
【００８０】
この構成により、第１キャビネット２ａの容積と第２キャビネット２ｂの容積とを合わせなくても、第１キャビネット２ａの容積と第２キャビネット２ｂの容積とを共用できるので、共振周波数に寄与するコンデンサ成分が同一となり第１スピーカユニット３と第２スピーカユニット４との歪音を効果的に低減することができる。
【００８１】
（変形例）
図９Ａは、実施の形態２の変形例におけるスピーカ装置１Ｆの構造断面図の一例である。図９Ｂは、図９Ａに示すスピーカ装置１Ｆの上面概略図である。図９Ａは、図９Ｂに示すＡ−Ｏ−Ｂでの断面図に該当する。なお、図７、図９Ａおよび図９Ｂと同じ構成要素については同じ符号を用い、説明を省略する。
【００８２】
図９Ａおよび図９Ｂに示すスピーカ装置１Ｆは、図８Ａおよび図８Ｂに示すスピーカ装置１Ｅに対して、キャビネットボックス２ｆの構成が異なる。以下、実施の形態２と異なるところを中心に説明する。
【００８３】
キャビネットボックス２ｆは、スピーカ装置１Ｆの空間５１ａ、５１ｂの近傍に設けられており、空間５１ａ、５１ｂを塞がないように設けられている。また、キャビネットボックス２ｆは、スピーカユニット８が取り付けられている。
【００８４】
スピーカユニット８は、キャビネットボックス２ｆに取り付けられており、その振動板がキャビネットボックス２ｆの外部と通じるように取り付けらている。
【００８５】
この構成により、高音部を受け持つスピーカユニット８と、第１スピーカユニット３と第２スピーカユニット４との位置が近いので、空間５１ａ、５１ｂの外側の空間でこれらの音が足しあわされて再生される。このように、本変形例によれば、第１スピーカユニット３と第２スピーカユニット４とスピーカユニット８とで再生される音の経路差を小さくできる。
【００８６】
以上のように、本変形例のスピーカ装置１Ｆによれば、第１スピーカユニット３および第２スピーカユニット４とスピーカユニット８とが離れており再生された音に経路差が生じる場合に比べると、より再生音質を向上できる。
【００８７】
以上、本発明のスピーカ装置について、実施の形態等に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【００８８】
例えば、上記実施の形態等では、キャビネット２を構成する第１キャビネット２ａと第２キャビネット２ｂとが接合部材５により機械的に接合されることで、第１キャビネット２ａと第２キャビネット２ｂとに挟まれた空間５１がキャビネット２の外部に通じているとしたがこれに限らない。第１キャビネット２ａと第２キャビネット２ｂとが連結されており、当該空間５１に対応する位置に少なくとも１つの開口部を有するとしてもよい。
【００８９】
また、キャビネット２を構成する第１キャビネット２ａと第２キャビネット２ｂとのそれぞれに、音響ポートを取付けたいわゆるバスレフ方式とし、低音再生性能を向上させてもよい。実施の形態２で説明したようにスピーカ装置が連通管を備える場合には、第１キャビネット２ａと第２キャビネット２ｂのいずれかに音響ポートを備えるとしてもよい。連通管を備えることにより、第１キャビネット２ａと第２キャビネット２ｂとのそれぞれに、音響ポートを取付けた場合と同様の効果を得ることができる。
【００９０】
また、本発明のスピーカ装置は、バスレフ方式だけでなく、バックロードホーンなどあらゆるスピーカキャビネット方式にしてもよい。
【００９１】
また、本発明に係るスピーカ装置は、再生音の歪みが少ない高音質スピーカとして、オーディオ機器やテレビをはじめとするＡＶ機器、ノートパソコンなどのモバイル機器、車等の車両に搭載されるスピーカ、ＡＮＣ（アクティブノイズキャンセラー）用のスピーカ等に備えられるとしてもよい。キャビネットと複数のスピーカユニットを有し、再生音の歪みが少ない高音質スピーカとして実現できる。
【産業上の利用可能性】
【００９２】
本発明は、オーディオ機器やテレビをはじめとするＡＶ機器、ノートパソコンなどのモバイル機器、車等の車両に搭載されるスピーカ、ＡＮＣ用のスピーカ用途に用いられるスピーカ装置に利用することができる。
【符号の説明】
【００９３】
１、１Ａ、１Ｂ、１Ｃ、１Ｄ、１Ｅ、１Ｆ  スピーカ装置
２  キャビネット
２ａ  第１キャビネット
２ｂ  第２キャビネット
２ｅ、２ｆ  キャビネットボックス
３  第１スピーカユニット
４  第２スピーカユニット
２１ａ  第１キャビネット部分
２１ｂ  第２キャビネット部分
３１、３１Ｄ  第１振動板
３２、３２Ｄ  第１エッジ
３３、３３Ａ  第１磁気回路
３３ａ、３３１  第１マグネット
３４、３４Ｄ  第１ボイスコイルボビン
３５  第１ボイスコイル
４１  第２振動板
４２  第２エッジ
４３、４３Ａ  第２磁気回路
４３ａ、４３１  第２マグネット
５１、５１ａ、５１ｂ  空間
【図１】
0006751883.tif 000002
【図２】
0006751883.tif 000003
【図３Ａ】
0006751883.tif 000004
【図３Ｂ】
0006751883.tif 000005
【図４】
0006751883.tif 000006
【図５】
0006751883.tif 000007
【図６】
0006751883.tif 000008
【図７】
0006751883.tif 000009
【図８Ａ】
0006751883.tif 000010
【図８Ｂ】
0006751883.tif 000011
【図９Ａ】
0006751883.tif 000012
【図９Ｂ】
0006751883.tif 000013
【図１０】
0006751883.tif 000014